(57)【要約】【課題】  配信印刷システムで大量のジョブを一度にモニタリングしている場合に、ユーザが所望するジョブの状態を絞り込んで表示することを可能とし、ユーザビリティをあげる。【解決手段】  ジョブ一覧でジョブ情報を表示する前にユーザが大まかなジョブ状態をツリービューで選択する。  大まかな状態とは下記の２段階  １、印刷中のジョブ（未配信・配信済み）  ２、排紙が完了したジョブ（配信履歴）  上記２段階の状態の中の選択された１つの状態のジョブ情報を一覧として表示し、その絞られたジョブの中で更に絞り込む場合にはジョブ状態の絞込み条件を、ユーザが所望の数指定することにより、絞り込んだジョブ情報だけを表示する。このとき、大まかに絞り込んだ２つの状態で選択しても意味のある絞込み条件を絞り込み、ユーザが選択可能な状態（表示）にする。【選択図】  図１
2007334806.tif 000002
【特許請求の範囲】
【請求項１】
印刷を制御し、画像形成装置にジョブを投入し印刷を行う配信印刷システムにおいて、画像形成装置が処理する印刷ジョブのジョブ状態情報をＷｅｂアプリケーションサーバ上に収集し、クライアントからのリクエストに応じ、その印刷ジョブ状態情報をクライアントに返す、Ｗｅｂアプリケーションであって、複数の印刷ジョブの状態情報を絞込み表示する表示手段と、ユーザが絞り込んだ情報を更に絞り込む設定を行う際に、絞り込むためのキーワードとなる、印刷ジョブの印刷状態情報を1度絞り込んだ印刷ジョブの印刷状態情報により、絞込み表示するために選択できる印刷ジョブの印刷状態情報（キーワード）を自動的に変更し、ユーザに提示し、ユーザが選択しやすくする手段を特徴とする配信印刷システムの印刷ジョブ状態情報表示機能。
【請求項２】
請求項１記載に配信印刷システムの印刷ジョブ状態情報表示機能において、ユーザから選択された印刷ジョブの印刷状態情報（キーワード）を元に、絞り込んだ印刷ジョブの情報のみをリクエスト元のクライアントに返す手段を特徴とする配信印刷システムの印刷ジョブ状態情報表示機能。
【発明の詳細な説明】
【技術分野】
【０００１】
本発明は、画像形成装置に印刷ジョブを配信し、印刷を制御する配信印刷システムの印刷ジョブ状態情報表示方法と印刷ジョブ状態情報を表示する実行方法ならびに印刷ジョブ状態情報を表示するプログラムに関する。
【背景技術】
【０００２】
画像形成装置に対する印刷処理を制御する、印刷システムにおいてジョブの状態をユーザが監視できるように表示するための技術は様々ある。
【０００３】
例えば、特開2001-312382では、印刷ジョブの処理状況を、出力装置に出力ジョブを転送する出力制御装置内の出力ジョブに関するジョブ情報とに基づいて、出力装置内の出力ジョブと前記出力制御装置内の出力ジョブとを合わせて、それぞれに関するジョブ情報を表示部に表示している。
【０００４】
このような、印刷ジョブ状態を表示する技術は、印刷システムの多様化によりニーズが増えてきている。
【０００５】
近年、ネットワークの高速が進むことにより、印刷システムは、ローカルネットワーク環境内の印刷制御だけではなく、例えば、事業所間や拠点間をまたいだ場所にある画像形成装置に対し、印刷ジョブを配信し、印刷制御処理を行う配信印刷システムが必要とされている。
【０００６】
この配信印刷システムでは、ローカルネットワーク環境の印刷システムよりも多くの画像形成装置に対し、印刷制御を行う必要性や、大量の印刷ジョブを夜間バッチ配信し、印刷を実行し、そのジョブ状態を監視する必要性が出てきている。このようなシステムにおいて大量の印刷ジョブのジョブ情報をユーザにとって見やすいように表示するユーザインタフェースは必要不可欠である。
【特許文献１】特開2001-312382
【発明の開示】
【発明が解決しようとする課題】
【０００７】
配信印刷システムの印刷ジョブの状態をモニタするWebアプリにおいて、ジョブ一覧に全てのジョブ情報を表示すると、大量のジョブを一度にモニタリングしている場合、ユーザが所望するジョブ状態のジョブを見つけるのに時間がかかるという問題があった。
【０００８】
また、ユーザが所望する状態のジョブを絞り込むには、印刷処理において、1つのジョブの状態が遷移する過程の状態をキーワードとして指定し、指定された状態のジョブを表示すると多くのジョブ状態がある中から、ユーザは所望の状態の絞込み条件を指定しなければならないため、絞込み条件の選択肢が多く存在し、ユーザビリティにかけるという問題もあった。
【０００９】
また、特開2001-312382では、印刷ジョブの処理状況を、出力装置に出力ジョブを転送する出力制御装置内の出力ジョブに関するジョブ情報とに基づいて、出力装置内の出力ジョブと前記出力制御装置内の出力ジョブとを合わせて、それぞれに関するジョブ情報を表示部に表示しているが、一度にモニタリングする印刷ジョブが大量にある場合は、ユーザが所望するジョブ状態を即座にピックアップするのは困難である。
【課題を解決するための手段】
【００１０】
上述した課題を解決するために、本発明は、印刷を制御し、画像形成装置にジョブを投入し印刷を行う配信印刷システムにおいて、画像形成装置が処理する印刷ジョブのジョブ状態情報をＷｅｂアプリケーションサーバ上に収集し、クライアントからのリクエストに応じ、その印刷ジョブ状態情報をクライアントに返す、Ｗｅｂアプリケーションであって、複数の印刷ジョブの状態情報をユーザが所望する情報のみを絞込み表示する表示手段と、ユーザが絞り込んだ情報を更に絞り込む設定を行う際に、絞り込むためのキーワードとなる、印刷ジョブの印刷状態情報を1度絞り込んだ印刷ジョブの印刷状態情報により、絞込み表示するために選択できる印刷ジョブの印刷状態情報（キーワード）を自動的に変更し、ユーザに表選択させる手段と、また、ユーザから選択された印刷ジョブの印刷状態情報（キーワード）を元に、絞り込んだ印刷ジョブの情報のみをリクエスト元のクライアントに返す手段を有することを特徴とする。
【発明の効果】
【００１１】
大量の印刷ジョブを一度にモニタリングしている場合に、ユーザが所望するジョブの状態を絞り込んで表示することが可能となり、ユーザビリティが上がる。更に印刷ジョブ状態により表示するジョブ情報を絞込み表示する場合に、絞込みのキーワードとして必要なものだけに絞りユーザに選択させることによりユーザの操作性も向上する。
【発明を実施するための最良の形態】
【００１２】
（実施例１）
図１は、本発明の実施形態に係る配信印刷システムのネットワーク構成を示すブロック図である。本システムは、情報処理装置としてのコンピュータ１０１〜１０４、印刷装置（プリントデバイス）としての画像形成装置１０４を含み、これらが互いに接続されていることにより、全体としてネットワークを構成している。
【００１３】
印刷状態表示プログラムや印刷制御プログラムが実行可能状態で格納されており、本システムが含まれる画像形成装置１０５を管理する機能のほか、ネットワークで使用されるファイルを蓄積したり、ネットワークの使用状態を監視したりする機能を有する。具体的には、情報処理装置１０１〜１０４は、自身により印刷ジョブを作成し、画像形成装置１０５に印刷ジョブを投入する機能を有する。また、情報処理装置１０１〜１０４は画像形成装置１０５から印刷ジョブの状態を取得し、情報処理装置１０１〜１０４に格納されたＷｅｂサーバに印刷ジョブ状態をファイル（ＨＤＤ等）、またはメモリ内に格納し、クライアントコンピュータ（情報処理装置１０１〜１０４）からのＷｅｂサーバ（情報処理装置１０１〜１０４）へのリクエストに応じ、所望の印刷ジョブ状態を表示する。画像形成装置１０５はクライアント（コンピュータ）１０１〜１０４から、印刷データを含む印刷ジョブを受信し、受信した印刷ジョブを解析して印刷する物理的な装置としてのプリントデバイスである。画像形成装置１０５としては、電子写真方式を採用したレーザービームプリンタやインクジェット方式を採用したインクジェットプリンタや熱転写方式を利用したプリンタ等、あらゆる方式の印刷装置を採用することができる。
【００１４】
なお、本プリントシステムに含まれる装置間の通信は、イーサネット（登録商標）ケーブルなどを利用した有線通信でもよいし、電波や光などを利用した無線通信でもよい。
【００１５】
図２は、配信印刷システムの情報処理装置１０１〜１０４のハードウェア構成図である。
【００１６】
図２において、２０２は装置全体の制御を行うＣＰＵであり、ハードディスク（ＨＤＤ）２０５に格納されているアプリケーションプログラム、ＯＳ等を実行し、ＲＡＭ２０３にプログラムの実行に必要な情報、ファイル等を一時的に格納する制御を行う。
【００１７】
２０４は記憶手段としてのＲＯＭであり、内部には、基本Ｉ／Ｏプログラム等のプログラム、文書処理の際に使用するフォントデータ、テンプレート用データ等の各種データを記憶する。２０３は一時記憶手段としてのＲＡＭであり、ＣＰＵ２０２の主メモリ、ワークエリア等として機能する。
【００１８】
２０５は外部記憶手段の一つであり、大容量メモリとして機能するハードディスク（ＨＤＤ）であり、アプリケーションプログラム、プリンタドライバプログラム、ＯＳ、ネットワークプリンタ制御プログラム、関連プログラム等を格納している。
【００１９】
２０６は表示手段であるディスプレイであり、キーボード２０６から入力したコマンドや、プリンタの状態等を表示したりするものである。
【００２０】
２０７は外部装置Ｉ／Ｆであり、プリンタ、ＵＳＢ機器、周辺機器を接続するためのＩ／Ｆである。
【００２１】
２０８は指示入力手段であるキーボードである。
【００２２】
２０１はシステムバスであり、配信印刷システムの情報処理装置内のデータの流れを司るものである。
【００２３】
２０９はネットワークインタフェースカード（ＮＩＣ）であり、該インタフェース２０９を介して情報処理装置は外部装置とのデータのやり取りを行う。
【００２４】
なお、上記コンピュータの構成はその一例であり、図２の構成例に限定されるものではない。例えば、データやプログラムの格納先は、その特徴に応じてＲＯＭ、ＲＡＭ、ＨＤＤなどで変更することも可能である。
【００２５】
図３は、本発明の実施形態にる配信印刷システムのシステム構成図である。
【００２６】
配信印刷システムは情報処理装置１０１〜１０４に構成されており、ネットワーク１０６で印刷を行う画像形成装置１０５とそれぞれ接続されている。
【００２７】
３０１のプリントサーバは画像形成装置１０５と通信を行い、印刷ジョブを投入し、画像形成装置１０５から印刷ジョブ状態を取得する。そのプリントサーバ３０１と同じ情報処理装置１０１〜１０４に位置するのが印刷ジョブをプリントサーバ３０１から収集し管理する、一般ジョブ情報収集マネージャ３０２である。プリントサーバ３０１と一般ジョブ情報収集マネージャ３０２が同居する情報処理装置１０１は配信印刷システムのネットワーク構成内に複数位置する。
【００２８】
また、情報処理装置１０２に位置するマスタージョブ情報収集マネージャ３０３が、一般ジョブ情報収集マネージャ３０２から印刷情報を収集し、管理する。収集のタイミングは、予め定められた一定時間のタイミングに収集したり、または、Ｗｅｂアプリ３０４からのリクエストにより収集する。
【００２９】
また、情報処理装置１０３に位置するＷｅｂサーバ３０４が情報処理装置１０４に位置するＷｅｂブラウザ３０７等のＨｔｔｐプロトコルを使用したリクエストに応じ、Ｗｅｂブラウザ３０７等にリクエストの結果となる情報を返すサーバである。
【００３０】
また、Ｗｅｂアプリケーションサーバ３０５のプロセス上で動作するＷｅｂアプリ３０６がマスタージョブ情報収集マネージャ３０３に対し、印刷ジョブ状態の取得を行い、Ｗｅｂサーバ３０４、Ｗｅｂアプリケーションサーバ３０５を経由して伝えられたＷｅｂブラウザ３０７等からのリクエストに応じ、印刷ジョブ情報等を返す。尚、情報処理装置１０５とＷｅｂブラウザ３０７等は配信印刷システムを構成するネットワーク上に複数存在する。
【００３１】
図４は、本発明の実施形態に係る配信印刷システムにおける印刷ジョブ情報の情報の流れを説明する図である。
【００３２】
情報処理装置１０４にあるＨＴＴＰプロトコルを使用したリクエストを発行できるＷｅｂブラウザ３０７等から印刷指示のリクエストをＷｅｂサーバ３０４が受けると、情報処理装置１０３内にあるＷｅｂアプリケーションサーバ３０５上で動作する配信印刷システムの印刷ジョブのモニタリング機能を提供するＷｅｂアプリ３０６は情報処理装置１０１内にあるプリントサーバ３０１に対し、Ｗｅｂブラウザ３０７でユーザから指定されたデータ（帳票データやＰＤＬ印刷データ等）を画像形成装置１０５に対し、投入し印刷を実行する。
【００３３】
プリントサーバ３０１は画像形成装置１０１から通知される、後述する印刷ジョブ情報５０１を取得すると情報処理装置１０１内にある一般ジョブ情報収集マネージャ３０２に通知する。一般ジョブ情報収集マネージャ３０２は通知された印刷ジョブ情報５０１を情報処理装置１０１内のジョブ情報マスタファイル４０４に格納する。
【００３４】
情報処理装置１０２のマスタージョブ情報収集マネージャ３０３は情報処理装置１０３内のＷｅｂアプリ３０６から印刷ジョブ情報取得要求があると情報処理装置１０１内の一般ジョブ情報収集マネージャ３０２に対し、自分が持っていない印刷ジョブ情報を要求する。要求があると一般ジョブ情報収集マネージャ３０２はジョブ情報マスタファイル４０４からマスタージョブ情報収集マネージャ３０３が持っていない印刷ジョブ情報５０１を取り出し、マスタージョブ情報収集マネージャ３０３に対し、送信する。印刷ジョブ情報５０１を受取ったマスタージョブ情報収集マネージャ３０３はジョブ情報キャッシュファイル４０３に受取った印刷ジョブ情報５０１を格納し、Ｗｅｂアプリ３０６に要求された印刷ジョブ情報５０１を送信する。Ｗｅｂアプリ３０６はその印刷ジョブ情報５０１を受取ると印刷ジョブ情報５０１をジョブ情報データファイル４０２に格納し、印刷ジョブ情報５０１の一部の情報である受付日時５０７、最終印刷日時５０８、ドキュメント名５０４、ステータス（印刷ジョブ状態情報）５０５、ユーザ名５０６の情報をリストデータ４０１に格納する。これらの情報は検索条件９０７、１００７として使用する情報であり、メモリ上で管理される。（ある一定数を超えた場合はＨＤＤ上に管理する）
Ｗｅｂブラウザ３０７等から情報処理装置１０３内のＷｅｂサーバ３０４とＷｅｂアプリケーションサーバ３０５を経由して印刷ジョブ情報の更新要求をＷｅｂアプリ３０６が受取ると、リストデータ４０１から要求のあったデータと一致するデータをジョブ情報データファイル４０２を取り出す。Ｗｅｂブラウザ３０７等は印刷ジョブ情報の更新要求時に、検索条件９０７、１００７を一緒にＷｅｂアプリ３０６に渡す、この検索条件９０７、１００７に一致するデータをリストデータ４０１から抽出し、そのデータと一致するデータをジョブ情報データファイル４０２から取り出すこととなる。取り出したデータをＨｔｔｐとして作成し、Ｗｅｂサーバ３０４とＷｅｂアプリケーションサーバ３０５を経由して、Ｗｅｂブラウザ３０７等に送信する。
【００３５】
図５は、プリントサーバ３０１がジョブ情報マスタファイル４０４に格納する情報であり、ジョブ情報キャッシュファイル４０３、ジョブ情報データファイル４０２にも同等の情報を格納する。
【００３６】
ユニークＩＤ５０２はデータ（帳票データやＰＤＬ印刷データ等）に対しプリントサーバ３０１がユニークに割振るＩＤである。印刷ジョブＩＤ５０２は、プリントサーバ３０１が印刷する際に割振る印刷ジョブをトラッキングするためのキーとするＩＤである。ドキュメント名５０４はデータ（帳票データやＰＤＬ印刷データ等）に格納されるそのデータを表す名称である。ステータス５０５は印刷ジョブの状態情報である。状態の詳細は後述する。ユーザ名５０６はデータ（帳票データやＰＤＬ印刷データ等）に格納される所有者の名称である。受付日時５０７はプリントサーバ３０１がデータ（帳票データやＰＤＬ印刷データ等）を受け付けた日時である。最終印刷日時５０８はプリントサーバ３０１が画像形成装置１０５に対し印刷を実行し、印刷が完了した最終の日時である。ページ数５０９はデータ（帳票データやＰＤＬ印刷データ等）のページ数である。プリンタ名５１０は、プリントサーバ３０１が最後に印刷を実行した画像形成装置１０５の名称である。
【００３７】
図６は、Ｗｅｂアプリ３０６が作成し、Ｗｅｂブラウザ３０７に表示するページの1例である。
【００３８】
ヘッダエリア６０１はページの上部にあり、Ｗｅｂアプリの環境を設定するボタンやログインしているユーザ名、ログアウトを指示するボタン等を表示する。ツリーエリア６０２は印刷ジョブを種類・状態・印刷先のプリンタごとに分類し、表示するツリーである。６０３は印刷ジョブに関して表示するツリーである。印刷ジョブ６０３を選択すると未配信、配信済み、配信履歴の全ての印刷ジョブを表示する。このとき検索ボタン６０７を押下したときに表示する検索ページの"ステータス"のキーワード一覧表には７０１，８０１のステータスを全て表示する。
【００３９】
未配信ツリー６０４を選択すると、プリンタサーバ３０１内での印刷処理を行っている印刷ジョブを表示する。
【００４０】
配信済みツリー６０５を選択すると、画像形成装置１０５での印刷処理を行っている印刷ジョブを表示する。
【００４１】
配信履歴ツリー６０６を選択すると、印刷結果の印刷ジョブ情報を表示する。
【００４２】
印刷ジョブリスト６０９は、印刷ジョブの情報を表示するリストである。このリストの"ステータス"に印刷ジョブの状態情報を表示する。検索ボタン６０７を押下すると現在選択しているツリーにより表示される印刷ジョブの検索（抽出）が行える。
【００４３】
また、検索ページ９０１、１００１で指定された検索条件を検索条件テーブル６０８として表示する。
【００４４】
図７は、プリントサーバ３０１が印刷処理を画像形成装置１０５に対し実行した時の印刷ジョブの未配信（プリンタサーバ３０１内での処理）・配信済み（画像形成装置１０５内での処理）のジョブ状態を表した図である。印刷ジョブ状態（未配信）７０１は印刷ジョブがプリンタサーバ３０１と画像形成装置１０５が行う処理の状態により決まる。この状態がステータス５０５となる。
【００４５】
図８は、プリントサーバ３０１が印刷処理を画像形成装置１０５に対し実行した時の印刷ジョブの配信履歴（印刷結果）のジョブ状態を表した図である。印刷ジョブ状態（配信履歴）８０１は印刷ジョブがプリンタサーバ３０１と画像形成装置１０５が行う処理の状態により決まる。この状態がステータス５０５となる。
【００４６】
図９は、未配信ツリー６０３/配信済みツリー６０４のジョブ一覧においてジョブを検索（抽出）するためにキーワードを入力する検索ページ９０２の一例である。この例では、図６で未配信/配信済ツリー６０４/６０５を選択し、検索ボタン６０７を押下することにより表示されるページである。検索キーワード（ステータス）９０２は選択可能なキーワードである印刷ジョブ状態（未配信・配信済み）７０１を表示する。このキーワードは複数選択かであり、キーワードを選択し、実行ボタン９０３を押下すると、選択したステータスの印刷ジョブ情報を印刷ジョブリスト６０９に表示する。
【００４７】
図１０は、未配信（プリンタサーバ３０１内での処理）・配信済み（画像形成装置１０５内での処理）のジョブ一覧においてジョブを抽出するためにキーワードを入力するページの一例である。この例では、図６で配信履歴ツリー６０６を選択し、検索ボタン６０７を押下することにより表示されるページである。
【００４８】
検索キーワード（ステータス）１００２は選択可能なキーワードである印刷ジョブ状態（未配信・配信済み）８０１を表示する。このキーワードは複数選択かであり、キーワードを選択し、実行ボタン１００３を押下すると、選択したステータスの印刷ジョブ情報を印刷ジョブリスト６０９に表示する。
【００４９】
図１１は、Ｗｅｂアプリ３０６がユーザが選択した印刷ジョブ状態情報をキーワードとし、抽出した印刷ジョブをＷｅｂブラウザ３０７に返すまでのフローチャートである。
【００５０】
１１０１でユーザがＷｅｂブラウザ３０７でツリーを選択すると、１１０２で選択したツリーの種類をＷｅｂアプリ３０６に通知する。Ｗｅｂアプリ３０６はＷｅｂブラウザ３０７から１１０３でツリー種類を受信すると、１１０４で未配信ツリー６０４/配信済みツリー６０５の場合は、１１０７で未配信、配信済みの印刷ジョブ状態の印刷ジョブ情報をＷｅｂブラウザ３０７に返す。
【００５１】
１１０５で配信履歴ツリー６０６の場合は、１１０６で配信履歴の印刷ジョブ状態の印刷ジョブ情報をＷｅｂブラウザ３０７に返す。
【００５２】
Ｗｅｂブラウザ３０７は１１０８でＷｅｂアプリ３０６から印刷ジョブリストページを取得すると１１０９で表示する。１１１０でユーザが検索ボタン６０７を押下すると、１１１１でＷｅｂブラウザ３０７はＷｅｂアプリ３０６に対し検索ページを要求する。Ｗｅｂアプリ３０６が１１１２でＷｅｂブラウザ３０７からの検索ページ要求を受取ると、１１１３で未配信ツリー６０４/配信済みツリー６０５の場合は、１１１６で印刷ジョブ状態（未配信・配信済み）のステータスのキーワードをステータス選択リスト設定する。また、１１１４で配信履歴ツリー６０６の場合は、１１１５で印刷ジョブ状態（配信履歴）のステータスのキーワードをステータス選択リスト設定する。次にＷｅｂブラウザ３０７に対し、検索ページを送信する。Ｗｅｂブラウザ３０７は１１１７でＷｅｂアプリ３０６から検索ページを受取ると検索ページを表示する。
【００５３】
１１１８でユーザは検索のキーワードを選択し、実行ボタンを押下すると、１１１９で検索実行要求をＷｅｂアプリ３０６に対し行う。Ｗｅｂアプリ３０６は検索実行要求を１１２６で受信すると、１１２０で選択された検索キーワードの印刷ジョブを抽出し、１１２１で表示ページを作成し、１１２２でＷｅｂブラウザ３０７に対し、印刷ジョブ情報を返す。
【００５４】
Ｗｅｂブラウザ３０７は、１１２３で表示ページを受信すると、１１２４で印刷ジョブリストを表示する。
【図面の簡単な説明】
【００５５】
【図１】本発明における配信印刷システムのネットワーク構成図。
【図２】本発明における情報処理装置のハードウェア構成図。
【図３】本発明における配信印刷システムを構成するコンポーネント構成図。
【図４】本発明の実施形態に係る配信印刷システムにおける印刷ジョブ情報の情報の流れを説明する図。
【図５】本発明における配信印刷システムのＷｅｂアプリ、マスター印刷ジョブ収集マネージャ、一般印刷ジョブ収集マネージャが管理するジョブ情報マスタファイル、ジョブ情報キャッシュファイル、ジョブ情報データファイルフォーマット。
【図６】本発明における配信印刷システムのＷｅｂアプリが作成する印刷ジョブ一覧ページの一例。
【図７】本発明における配信印刷システムのジョブ状態（未配信・配信済み）テーブル。
【図８】本発明における配信印刷システムのジョブ状態（配信履歴）テーブル。
【図９】本発明における配信印刷システムのＷｅｂアプリが作成する未配信・配信済みの検索ページの一例。
【図１０】本発明における配信印刷システムのＷｅｂアプリが作成する配信履歴の検索ページの一例。
【図１１】本発明における配信印刷システムのＷｅｂアプリがユーザが選択した印刷ジョブ状態情報をキーワードとし、抽出した印刷ジョブをＷｅｂブラウザに返すまでのフローチャート。
【符号の説明】
【００５６】
１０１、１０２、１０３、１０４  情報処理装置
１０４，１０５  画像形成装置
３０１  プリントサーバ
３０２  一般ジョブ情報収集マネージャ
３０３  マスタージョブ情報収集マネージャ
３０４  Ｗｅｂサーバ
３０５  Ｗｅｂアプリケーションサーバ
３０６  Ｗｅｂアプリ
３０７  Ｗｅｂブラウザ
４０１  リストデータ
４０２  ジョブ情報データファイル（表示用）
４０３  ジョブ情報キャッシュファイル
４０４  ジョブ情報マスタファイル
５０１  印刷ジョブ情報
６０３  印刷ジョブツリー
６０４  未配信ツリー
６０５  配信済みツリー
６０６  配信履歴ツリー
６０７  検索ボタン
６０９  印刷ジョブリスト
７０１  印刷ジョブ状態（未配信・配信済み）
８０１  印刷ジョブ状態（配信履歴）
【図１】
2007334806.tif 000003
【図２】
2007334806.tif 000004
【図３】
2007334806.tif 000005
【図４】
2007334806.tif 000006
【図５】
2007334806.tif 000007
【図６】
2007334806.tif 000008
【図７】
2007334806.tif 000009
【図８】
2007334806.tif 000010
【図９】
2007334806.tif 000011
【図１０】
2007334806.tif 000012
【図１１】
2007334806.tif 000013